(57)【特許請求の範囲】
【請求項１】
表示手段に表示された通常画面を介して操作を受け付ける情報処理装置であって、
前記情報処理装置のサービスを停止している状態であることを示すサービス停止画面を前記表示手段に表示させる表示制御手段を備え、
前記表示制御手段は、
前記表示手段に前記通常画面が表示されている状態で、前記情報処理装置にてパスワードの入力がなされたことを条件に、前記サービス停止画面の表示、非表示を設定する設定画面を表示させ、
且つ、前記表示制御手段は、
前記表示手段に前記サービス停止画面が表示されてから、前記情報処理装置にてパスワードの入力がなされるまで前記表示手段による前記サービス停止画面の表示を維持させ、
且つ、前記表示制御手段は、
前記表示手段に前記サービス停止画面が表示されている状態で、
前記情報処理装置にて前記サービス停止画面が表示されるのに先立って入力されたパスワードに対応するパスワードの入力がなされたことを条件に、前記サービス停止画面の表示、非表示を設定する設定画面を表示させ、前記設定画面によって、ユーザに前記サービス停止画面の表示、非表示を設定させることを特徴とする情報処理装置。
【請求項２】
前記表示制御手段は、前記表示手段により前記サービス停止画面を、当該表示手段を覆うように表示させることを特徴とする請求項１に記載の情報処理装置。
【請求項３】
前記サービス停止画面の表示中は、前記表示手段からの操作を受け付けないことを特徴とする請求項１又は請求項２に記載の情報処理装置。
【請求項４】
表示手段に表示された通常画面を介して操作を受け付ける情報処理装置の制御方法であって、
前記表示手段に前記通常画面が表示されている状態で、前記情報処理装置にてパスワードの入力がなされたことを条件に、前記サービス停止画面の表示、非表示を設定する設定画面を表示させ、
前記サービス停止画面を前記表示手段に表示させてから前記情報処理装置にてパスワードの入力がなされるまで前記表示手段による前記サービス停止画面の表示を維持させ、
前記表示手段に前記サービス停止画面が表示されている状態で、
前記サービス停止画面が表示されるのに先立って入力されたパスワードに対応するパスワードの入力がなされたことを条件に、前記サービス停止画面の表示、非表示を設定する設定画面を表示させ、前記設定画面によって、ユーザに前記サービス停止画面の表示、非表示を設定させることを許可することを特徴とする情報処理装置の制御方法。
【請求項５】
前記表示手段により、前記サービス停止画面を当該表示手段を覆うように表示させることを特徴とする請求項４に記載の情報処理装置の制御方法。
【請求項６】
前記サービス停止画面の表示中は、前記表示手段からの操作を受け付けないことを特徴とする請求項４又は請求項５に記載の情報処理装置の制御方法。
【請求項７】
請求項４から請求項６のいずれかに記載の、情報処理装置の制御方法を実行するためのコンピュータ読み取り可能な制御プログラム。
【発明の詳細な説明】
【０００１】
【発明の属する技術分野】
本発明は、表示手段を有する情報処理装置、情報処理装置の制御方法、及び制御プログラムに関し、特に課金を目的として店舗に設置された情報処理装置、情報処理装置の制御方法、及び制御プログラムに関する。
【０００２】
【従来の技術】
従来、画像形成装置においては、特開２０００−１５５５０８号公報に記載のように、紙詰まりやトナーなしなどが発生した場合、解決するための手順を示したアニメーションを表示したり、また、サービスコールが発生した場合は、主電源のＯＦＦ／ＯＮもしくはサービスマンへの連絡を促すようなメッセージとエラーコードを表示していた。
【０００３】
【特許文献１】
特開２００１−１５５５０８号公報
【０００４】
【発明が解決しようとする課題】
しかしながら、サービスコール画面は事務的な表現およびデザインであり、コンビニエンスストアなどの一般客を扱う店舗には向いていない。
【０００５】
また、トナーなしなどは、機器が設置された店舗で、消耗品の在庫がなく、すぐに補給できない場合、サービスマンが補給を行うまで、機器に対して「故障中」などの張り紙がされ、一般客に対して品質への信頼性の低下を招く恐れがあった。
【０００６】
本発明の目的は、ユーザに対して、品質に対する信頼性の低下を招くことなく、サービスを停止する事ができるという効果、及び、管理者がサービスを利用されたくない期間を指定し、その期間においてサービスが利用されることを確実に抑止することができるという効果の両立を図ることができる、情報処理装置、情報処理装置の制御方法、及び制御プログラムを提供することである。
【０００７】
【課題を解決するための手段】
上述した目的を達成するべく本発明の情報処理装置は、表示手段に表示された通常画面を介して操作を受け付ける情報処理装置であって、
情報処理装置のサービスを停止している状態であることを示すサービス停止画面を表示手段に表示させる表示制御手段を備え、表示制御手段は、表示手段に通常画面が表示されている状態で、情報処理装置にてパスワードの入力がなされたことを条件に、サービス停止画面の表示、非表示を設定する設定画面を表示させ、且つ、表示制御手段は、表示手段にサービス停止画面が表示されてから、情報処理装置にてパスワードの入力がなされるまで表示手段によるサービス停止画面の表示を維持させ、且つ、表示制御手段は、表示手段にサービス停止画面が表示されている状態で、情報処理装置にてサービス停止画面が表示されるのに先立って入力されたパスワードに対応するパスワードの入力がなされたことを条件に、サービス停止画面の表示、非表示を設定する設定画面を表示させ、設定画面によって、ユーザにサービス停止画面の表示、非表示を設定させることを特徴とする。
さらに好ましくは、表示制御手段は、表示手段によりサービス停止画面を、当該表示手段を覆うように表示させることを特徴とする。
さらに好ましくは、サービス停止画面の表示中は、表示手段からの操作を受け付けないことを特徴とする。
【０００８】
上述した目的を達成するべく本発明の制御方法は、表示手段に表示された通常画面を介して操作を受け付ける情報処理装置の制御方法であって、表示手段に通常画面が表示されている状態で、情報処理装置にてパスワードの入力がなされたことを条件に、情報処理装置のサービスを停止している状態であることを示すサービス停止画面の表示、非表示を設定する設定画面を表示させ、サービス停止画面を表示手段に表示させてから情報処理装置にてパスワードの入力がなされるまで表示手段によるサービス停止画面の表示を維持させ、表示手段にサービス停止画面が表示されている状態で、サービス停止画面が表示されるのに先立って入力されたパスワードに対応するパスワードの入力がなされたことを条件に、前記サービス停止画面の表示、非表示を設定する設定画面を表示させ、前記設定画面によって、ユーザに前記サービス停止画面の表示、非表示を設定させることを特徴とする。
さらに好ましくは、表示手段により、サービス停止画面を当該表示手段を覆うように表示させることを特徴とする。
さらに好ましくは、サービス停止画面の表示中は、表示手段からの操作を受け付けないことを特徴とする。
【０００９】
上述した目的を達成するべく本発明の制御プログラムは、上記の、情報処理装置の制御方法を実行することを特徴とする。
【００１０】
【発明の実施の形態】
以下、本発明の実施の形態を図面を用いて説明する。
【００１１】
図１は、本実施の形態の画像形成装置の操作部を示した図である。
【００１２】
図１のＬＣＤ表示部３０７は、ＬＣＤ上にタッチパネルシートが貼られており、システムの操作画面を表示するとともに、表示してあるキーが押されるとその位置情報をコントローラＣＰＵに伝える。スタートキー３０５は原稿画像の読み取り動作を開始する時などに用いる。
【００１３】
スタートキー３０５中央部には、緑と赤の２色ＬＥＤがあり、その色によってスタートキー３０５が使える状態にあるかどうかを示す。ストップキー３０６は稼働中の動作を止める働きをする。リセットキー３０８は操作部からの設定を初期化する時に用いる。ユーザーモードキー３１０は、自機に関するユーザー設定（時計、エラー優先順位など）を行うための画面に遷移する時に用いる。テンキー３１２は、コピー部数やパスワードなどの数値を入力する時に用いる。
【００１４】
次に画面スタックについて説明する。
【００１５】
画面スタックは、画面の重なり具合を管理するための領域で、図４の通常画面スタック４０１と、メンテナンス画面スタック４０２の２種類が存在する。画面スタックとしての優先順位は、通常画面スタックよりもメンテナンス画面スタックの方が高く、通常画面スタックにいかなる画面が表示されていても、メンテナンス画面スタックで管理されている画面が表示された場合は、メンテナンス画面で覆い隠される形となる。
【００１６】
また、画像形成装置のＬＣＤ表示部３０７に表示されうる全ての画面において、通常画面スタックに属するか、メンテナンス画面スタックに属するかが予め決められており、本実施の形態における「サービス停止」画面（図３）および、「サービス停止」画面の表示／非表示設定画面（図２）は、メンテナンス画面スタックに積まれる画面である。
【００１７】
更に、各画面スタック内の全ての画面において、それぞれ優先順位がつけられており、本実施の形態における「サービス停止」画面の表示／非表示設定画面（図２）はメンテナンス画面スタックの中で最高の優先順位を持ち、「サービス停止」画面（図３）は、その次の優先順位を持つ。
【００１８】
次に本実施の形態における、「サービス停止」画面の表示に関する手順を以下に説明する。
【００１９】
まず、機器の管理者、もしくはコンビニエンスストアなどに設置されている場合は、店舗の責任者が、予め教えられているパスワードを入力する。例えば、テンキー３１２の連続押し▲７▼→▲８▼→▲９▼を行うと、図２の「サービス停止」画面の表示／非表示設定画面が表示される。
【００２０】
このとき、通常画面スタックに属するいかなる画面が表示されていても、メンテナンス画面スタックに属している図２の画面は必ず表示され、また、メンテナンス画面に属するいかなる画面が表示されていたとしても、メンテナンス画面スタックの中で最高の優先順位を持つ図２の画面は、必ず可視の状態で表示される。
【００２１】
ここで、責任者は図２上の「ＯＮ」を選択し「ＯＫ」を押下すると、図２の「サービス停止」画面の表示／非表示設定画面はクローズされ、図３の「サービス停止」画面が表示される。図３の「サービス停止」画面は、図２の「サービス停止」画面の表示／非表示設定画面の次に優先順が高いため、図２の画面がクローズされれば、いかなる場合も、可視の状態となる。
【００２２】
図３の「サービス停止」画面は、ＬＣＤ表示部３０７の全てを覆う形の画面であり、タッチパネルからの操作は、一切不可能な状態となる。
【００２３】
次に、本実施の形態における、「サービス停止」画面の非表示に関する手順を以下に説明する。
【００２４】
図３の「サービス停止」画面が表示されている状態で、責任者がテンキーによるパスワード入力▲７▼→▲８▼→▲９▼を行うと、図２の「サービス停止」画面の表示／非表示設定画面が、図３の「サービス停止」画面の上に表示される。これは、図３の画面よりも、図２の画面の優先順が高いためである。
【００２５】
このとき図２の画面は、「ＯＮ」が選択された状態で表示される。そこで、責任者が「ＯＦＦ」を選択し、「ＯＫ」を押下すると、図２の「サービス停止」画面の表示／非表示設定画面はクローズされ、更に図３の「サービス停止」画面もクローズされる。
【００２６】
この「サービス停止」画面は、機器の状態に依存することなく表示可能で、図２の「サービス停止」画面の表示／非表示設定画面での設定のみに左右される。
【００２７】
つまり、本来、画像形成装置として十分なサービスを提供できないような状態（サービスエラーなど）に陥った時の、サービス停止を目的とした画面であるが、そのような機器の状態に関係なく、例えば店舗の都合などにより、ある一定期間コピーサービスを中止したいような場合、機器が正常な状態であっても、図２の「サービス停止」画面の表示／非表示設定画面から設定する事で、図３の「サービス停止」画面を表示する事ができる。
【００２８】
本発明を好ましい実施の形態により説明したが、本発明は、複数の機器（例えばホストコンピュータ、インタフェイス機器、リーダ、プリンタ等）から構成されるシステムに適用しても、一つの機器からなる装置（例えば、複写機、ファクシミリ装置等）に適用しても良い。
【００２９】
また、本発明の目的は、前述した実施形態の機能を実現するソフトウエアのプログラムコードを記録した記憶媒体（または記録媒体）を、システムあるいは装置に供給し、そのシステムあるいは装置のコンピュータ（またはＣＰＵやＭＰＵ）が記憶媒体に格納されたプログラムコードを読み出し実行することによっても、達成されることは言うまでもない。この場合、記憶媒体から読み出されたプログラムコード自体が前述した実施形態の機能を実現することになり、そのプログラムコードを記憶した記憶媒体は本発明を構成することになる。また、コンピュータが読み出したプログラムコードを実行することにより、前述した実施形態の機能が実現されるだけでなく、そのプログラムコードの指示に基づき、コンピュータ上で稼働しているオペレーティングシステム（ＯＳ）などが実際の処理の一部または全部を行い、その処理によって前述した実施形態の機能が実現される場合も含まれることは言うまでもない。
【００３０】
さらに、記憶媒体から読み出されたプログラムコードが、コンピュータに挿入された機能拡張カードやコンピュータに接続された機能拡張ユニットに備わるメモリに書き込まれた後、そのプログラムコードの指示に基づき、その機能拡張カードや機能拡張ユニットに備わるＣＰＵなどが実際の処理の一部または全部を行い、その処理によって前述した実施形態の機能が実現される場合も含まれることは言うまでもない。
【００３１】
【発明の効果】
以上説明したように、本発明によれば、操作画面上で「サービス停止」の旨を伝えるため、ユーザに対する、品質への信頼性の低下を招くことなく、サービスを停止する事ができるという効果、及び、管理者がサービスを利用されたくない期間を指定し、その期間においてサービスが利用されることを確実に抑止することができるという効果の両立を図ることができる。
【００３２】
また、機器の状態に左右されないため、機器管理者の都合次第で、サービスを停止することも可能である。
【図面の簡単な説明】
【図１】実施の形態における画像形成装置の操作部を示した図
【図２】実施の形態における「サービス停止」画面の表示／非表示を選択する画面を示した図
【図３】実施の形態における「サービス停止」画面を示した図
【図４】画面スタックを説明するための図
【図１】
0004095399.tif 000002
【図２】
0004095399.tif 000003
【図３】
0004095399.tif 000004
【図４】
0004095399.tif 000005